(57)【要約】【課題】  カメラユニット本体をシュリンクフィルムで被覆するレンズ付きフィルムユニットにおいて、シュリンクフィルムの開口部における防水、防塵効果を、向上する。【解決手段】  カメラユニット本体のシュリンクフィルムの開口を囲む位置に、凸条を設ける。【選択図】        図４
2005338449.tif 000002
【特許請求の範囲】
【請求項１】
未露光の写真撮影フィルムを内蔵し撮影レンズなどの撮影機構を有するカメラユニット本体を開口を有するシュリンクフィルムで被覆したレンズ付きフィルムユニットにおいて、
前記カメラユニット本体は、前記シュリンクフィルムの開口を囲む位置に凸条を有することを特徴とするレンズ付きフィルムユニット。
【請求項２】
前記凸条はその断面が略矩形形状であり、その幅をｗ、高さをｔとしたときに、
０．５ｍｍ≦ｗ≦１ｍｍ
０．５ｍｍ≦ｔ≦１ｍｍ
を満足するものであり、また、前記シュリンクフィルムの開口の端面から凸条の壁面までの距離ｓが
２ｔ≦ｓ≦４ｔ
を満足するものであることを特徴とする請求項１に記載のレンズ付きフィルムユニット。
【請求項３】
未露光の写真撮影フィルムを内蔵し撮影レンズなどの撮影機構を有するカメラユニット本体を開口を有するシュリンクフィルムで被覆したレンズ付きフィルムユニットにおいて、
前記カメラユニット本体は、前記シュリンクフィルムの開口位置に、凹陥を有することを特徴とするレンズ付きフィルムユニット。
【請求項４】
前記凹陥はその深さをｔとしたときに
０．５ｍｍ≦ｔ≦１ｍｍ
であり、前記開口の端面からの距離ｓが
２ｔ≦ｓ≦４ｔ
の範囲に設けられていることを特徴とする請求項３に記載のレンズ付きフィルムユニット。
【発明の詳細な説明】
【技術分野】
【０００１】
本発明は、未露光の写真撮影フィルムを内蔵するカメラユニットを、開口を有するシュリンクフィルムで被覆したレンズ付きフィルムユニットに関する。
【背景技術】
【０００２】
レンズ付きフィルムユニットは、撮影レンズ等の撮影機構を備えたカメラユニット本体に未露光の写真撮影用フィルムを予め装填した写真撮影用フィルム入りの簡易カメラである。ユーザーの撮影が終了したレンズ付きフィルムユニットはカメラ店にてフィルムが取り出されて、現像、プリントされる。フィルムが取り出されたレンズ付きフィルムユニットは、メーカーに回収された後分解、検査され、リユース可能な部材はカメラユニット本体に組み込まれ再使用され、リユース不可能な部材は例えば樹脂部品であれば粉砕して樹脂成形用材料として再利用される、など省資源化、省エネルギ化を図るとともに、廃棄を極力減らすことによる環境への配慮がなされている。
【０００３】
このレンズ付きフィルムにおいて、防水、防塵による機能向上、あるいは、カメラユニット本体の汚れ、傷を防止することによる前記部材の再利用の容易化に有効な技術として開示されている（特許文献１）。しかし、撮影レンズ前面の撮影光路上にシュリンクフィルムが存在すると、シュリンクフィルムにより撮影レンズの結像性能を損なう場合があるので、撮影レンズ前面はシュリンクフィルムによる被覆を避けるようにすることが多い。例えば、シュリンクフィルムに予め開口を設けて、その開口をカメラユニット本体の撮影レンズ位置に合致する様に組み合わせることにより、撮影レンズの前面にシュリンクフィルムを存在させないようにすることが行われる。
【０００４】
ところで、シュリンクフィルムの開口部におけるシュリンクフィルムの端面と本体との重なり部には微細な隙間を生じることがあり、その隙間から水や塵埃が侵入することがある。水や塵埃の侵入はシュリンクフィルムで被覆する効果を減殺することになり、これを回避するために、撮影レンズ付近の開口部に別部品を付加して封止し、水や塵埃の侵入を防止する技術（特許文献２）が開示されている。しかしこのような新たな部材を設ける構成では、構造が複雑化し、また取り付け工数も増加するという不具合がある。
【特許文献１】実開平３−６０３４２号公報
【特許文献２】特開平５−２６５１４１号公報
【発明の開示】
【発明が解決しようとする課題】
【０００５】
本願発明は、前述のような開口を有するシュリンクフィルムで被覆するレンズ付きフィルムユニットにおいて、シュリンクフィルムの開口部における防水、防塵効果を向上させ、防水、防塵のための別部品等を不要としたレンズ付きフィルムユニットを提供することを課題とする。
【課題を解決するための手段】
【０００６】
本願発明者はカメラユニット本体のシュリンクフィルムに開口に相対する位置に凸条、あるいは凹陥を設けることによりシュリンクフィルムの密着性が上がり、水や塵埃の侵入防止効果を向上できることを見出した。本発明は、特許請求の範囲に記載の下記の構成により達成される。
【０００７】
すなわち、
「〔請求項１〕未露光の写真撮影フィルムを内蔵し撮影レンズなどの撮影機構を有するカメラユニット本体を開口を有するシュリンクフィルムで被覆したレンズ付きフィルムユニットにおいて、前記カメラユニット本体は、前記シュリンクフィルムの開口を囲む位置に凸条を有することを特徴とするレンズ付きフィルムユニット。
〔請求項２〕前記凸条はその断面が略矩形形状であり、その幅をｗ、高さをｔとしたときに、
０．５ｍｍ≦ｗ≦１ｍｍ
０．５ｍｍ≦ｔ≦１ｍｍ
を満足するものであり、また、前記シュリンクフィルムの開口の端面から凸条の壁面までの距離ｓが
２ｔ≦ｓ≦４ｔ
を満足するものであることを特徴とする請求項１に記載のレンズ付きフィルムユニット。
〔請求項３〕未露光の写真撮影フィルムを内蔵し撮影レンズなどの撮影機構を有するカメラユニット本体を開口を有するシュリンクフィルムで被覆したレンズ付きフィルムユニットにおいて、前記カメラユニット本体は、前記シュリンクフィルムの開口位置に、凹陥を有することを特徴とするレンズ付きフィルムユニット。
〔請求項４〕前記凹陥はその深さをｔとしたときに
０．５ｍｍ≦ｔ≦１ｍｍ
であり、前記開口の端面からの距離ｓが
２ｔ≦ｓ≦４ｔ
の範囲に設けられていることを特徴とする請求項３に記載のレンズ付きフィルムユニット。」というものである。
【発明の効果】
【０００８】
本発明により、シュリンクフィルムで被覆するレンズ付きフィルムユニットにおいて、シュリンクフィルムの開口の端面部における防水、防塵効果を高めることが可能になり、防水、防塵のための付加部品を不要とすることができる。
【発明を実施するための最良の形態】
【０００９】
以下、本発明におけるレンズ付きフィルムユニットの実施形態の例を、各図を参照しながら説明する。
【００１０】
図１は本発明の一つの例であるレンズ付きフィルムユニットを示す斜視図である。
【００１１】
図１に示す様に、レンズ付きフィルムユニット１０は、カメラユニット本体１００とそれを被覆するシュリンクフィルム２００から成る。ここで、シュリンクフィルム２００には、撮影レンズ１１０の前面に円形の開口２０１を有している。
【００１２】
図２は、シュリンクフィルム２００とカメラユニット本体１００を示す図である。シュリンクフィルム２００は加熱することにより収縮する特性を有する透明なプラスチックフィルムであり、図２（ａ）は本実施例におけるシュリンクフィルム２００であり、厚さ０．０５ｍｍのフィルムを筒状に形成し、その一部に円形に切り抜いた開口２０１を有している。図２（ｂ）はカメラユニット本体１００であり、前面に、撮影レンズ１１０、ファインダー１２０を、上面にレリーズ釦１３０を、背面にフィルム巻き上げ操作のための非図示のフィルム巻き上げノブを備えている。また、撮影レンズの周囲には凸条１０１が形成されている。カメラユニット本体１００の内部は光密状態に保たれており、写真撮影用フィルムが装填されている。このシュリンクフィルム２００にカメラユニット本体１００を撮影レンズ位置をシュリンクフィルム２００の開口２０１と合致する様にして挿入した後、熱風により加熱すると、シュリンクフィルム２００は収縮しカメラユニット本体１００に密着、被覆し、図１に示す形態になる。図１に示すレンズ付きフィルムユニット１０において、撮影レンズ１１０はシュリンクフィルム２００の開口２０１の位置にあり被覆されない。撮影レンズ１１０をシュリンクフィルムで被覆することは、シュリンクフィルムを通して被写体を撮影することになり、結像性能に影響する懸念があるので避けることが望ましく、本実施例においても開口２０１により撮影レンズ１１０がシュリンクフィルムに被覆されない様に構成されている。
【００１３】
図１に示すレンズ付きフィルムユニット１０は、ユーザがレリーズ釦１３０を操作するとカメラユニット内部のシャッタ機構が動作し、撮影レンズ１１０により形成された被写体像を写真撮影用フィルムの表面に結像し撮影が行われる。シュリンクフィルム２００は柔軟性を有するので、ユーザのレリーズ釦１３０操作を妨げることはない。また前述のように、撮影レンズ１１０はシュリンクフィルム２００の開口２０１を通して被写体像を結像するので、撮影レンズ１１０の結像作用にシュリンクフィルム２００が影響を与えることはない。
【００１４】
図３はカメラユニット本体１００の撮影レンズ１１０の周囲に設けた凸条を示す図である。図３（ａ）は撮影レンズ１１０およびその周辺をカメラユニット本体１００の前側から見た図であり、図３（ｂ）は撮影レンズ周辺の断面図である。図３（ａ）に示すようにカメラユニット本体１００の撮影レンズ１１０の周囲には凸条１０１が形成されている。ここで２点鎖線で示す２０１はシュリンクフィルムの開口であり、２点鎖線２０１に囲まれる範囲にシュリンクフィルムは存在しない。図３（ｂ）に示すように、凸条はその断面が略矩形形状であり、その幅をｗ、高さをｔとしたときに、ｗおよびｔは
０．５ｍｍ≦ｗ≦１ｍｍ
０．５ｍｍ≦ｔ≦１ｍｍ
を満足することが好ましいこと、および、凸条の壁面までの前記開口の端面からの距離ｓは
２ｔ≦ｓ≦４ｔ
を満足することが好ましいことが確認されている。
本実施例ではｗ＝１ｍｍ、ｔ＝０．５ｍｍの断面矩形の凸条１０１がシュリンクフィルム２００の開口２０１の端面より１．５ｍｍ内側に形成されている。
【００１５】
図４は撮影レンズ１１０と、そのの周囲におけるシュリンクフィルム２００の開口２０１とを示す断面図である。図４（ａ）はシュリンクフィルム２００にカメラユニット本体１００を開口２０１位置に撮影レンズ１１０を合致させて挿入した状態を示す図であり、シュリンクフィルム２００はゆるやかにカメラユニット本体１００を覆う。図４（ｂ）は加熱によりシュリンクフィルム２００が収縮し、カメラユニット本体１００に密着し、被覆した状態を示す。収縮したシュリンクフィルム２００はカメラユニット本体１００の表面の形状に沿ってカメラユニット本体１００に密着する。シュリンクフィルム２００は凸条１０１にも密着し、凸条１０１に沿って屈曲する。このような屈曲によりシュリンクフィルム２００の密着性が高まり、シュリンクフィルム２００の開口２０１の端面部とカメラユニット本体１００との重なり部から水、塵埃の侵入がなされても、侵入した水、塵埃は屈曲部で進行を阻止され、屈曲部を越えて進行することはない。すなわち、開口部の水、塵埃の侵入防止効果が向上する。
【００１６】
図５は異なる実施の例におけるカメラユニット本体１００の撮影レンズ１１０の周囲に設けた凹陥を示す図である。図５（ａ）は撮影レンズ１１０およびその周辺をカメラユニット本体１００の前側から見た図であり、図５（ｂ）は撮影レンズ周辺の断面図である。図５（ａ）に示すようにカメラユニット本体１００の撮影レンズ１１０の周囲には凹陥１０２が形成されている。ここで２点鎖線で示す２０１はシュリンクフィルムの開口であり、２点鎖線２０１に囲まれる範囲にシュリンクフィルムは存在しない。
この凹陥１０２のカメラユニット本体１００の表面からの深さをｔとしたときに、ｔは
０．５ｍｍ≦ｔ≦１ｍｍ
であり、開口の端面からの距離ｓが
２ｔ≦ｓ≦４ｔ
の範囲に形成することが好ましいことが確認されている。
本実施例においては深さｔ＝０．５ｍｍの凹陥１０２が、開口の端面からｓ＝２ｍｍの位置まで形成されている。
【００１７】
図６は、前述の、異なる実施の例における撮影レンズ１１０と、そのの周囲におけるシュリンクフィルム２００の開口２０１とを示す断面図である。図６（ａ）はシュリンクフィルム２００にカメラユニット本体１００を開口２０１位置に撮影レンズ１１０を合致させて挿入した状態を示す図であり、シュリンクフィルム２００はゆるやかにカメラユニット本体１００を覆う。図６（ｂ）は加熱によりシュリンクフィルム２００が収縮し、カメラユニット本体１００に密着し、被覆した状態を示す。収縮したシュリンクフィルム２００はカメラユニット本体１００の表面の形状に沿ってカメラユニット本体１００に密着する。シュリンクフィルム２００は凹陥１０２にも密着し、凹陥１０２に沿って屈曲する。このような屈曲によりシュリンクフィルム２００の密着性が高まり、シュリンクフィルム２００の開口２０１の端面部とカメラユニット本体１００との重なり部から水、塵埃の侵入がなされても、侵入した水、塵埃は屈曲部で進行を阻止され、屈曲部を越えて進行することはない。すなわち、開口部の水、塵埃の侵入防止効果が向上する。
【００１８】
上記の実施例における開口は、撮影レンズ部の開口であるが、本発明は撮影レンズに限定することなく、巻き上げ操作部や、ファインダー部等に開口を設ける場合にも適用できることは言うまでもない。
【図面の簡単な説明】
【００１９】
【図１】本発明のレンズ付きフィルムユニットを示す斜視図である。
【図２】シュリンクフィルムとカメラユニット本体を示す図である。
【図３】カメラユニット本体の撮影レンズの周囲に設けた凸条を示す図である。
【図４】カメラユニット本体とシュリンクフィルムを組み合わせたときの凸条と開口の関係を示す断面図である。
【図５】カメラユニット本体の撮影レンズの周囲に設けた凹陥を示す図である。
【図６】カメラユニット本体とシュリンクフィルムを組み合わせたときの凹陥と開口の関係を示す断面図である。
【符号の説明】
【００２０】
１０  レンズ付きフィルムユニット
１００  カメラ本体ユニット
１０１  凸条
１０２  凹陥
１１０  撮影レンズ
１２０  ファインダー
１３０  レリーズ釦
２００  シュリンクフィルム
２０１  シュリンクフィルムの開口
【図１】
2005338449.tif 000003
【図２】
2005338449.tif 000004
【図３】
2005338449.tif 000005
【図４】
2005338449.tif 000006
【図５】
2005338449.tif 000007
【図６】
2005338449.tif 000008